Podtech/llm-jp-corpus-v4-ja_patent huggingface dataset:
(57)【要約】      （修正有）【課題】シャワーヘッドが落下したり床に置いてある該ヘッドをそのまま引っ張ったりすると出していた大きな音を軽減することができるシャワーヘッドカバーを提供する。【解決手段】シャワーヘッドカバーは１枚物と、よりよい今一つの方法として上部カバー２と下部カバー３の２つの該カバーに分けられている。いづれも粘弾性体で出来ている。１体物の該カバーはそのまま該ヘッドに被せることが出来る。該カバーの上部、および下部カバーは表面に凹凸をつけており該カバーの上部は該ヘッドに覆い、該カバーの下部も該ヘッドの下部から挿入して覆う。該ヘッドを落としたり、床に置いた該ヘッドをそのまま引きずったりしたとき出す大きな音を抑制したり軽減することが出来る。【選択図】図６
0003209847.tif 000002
【実用新案登録請求の範囲】
【請求項１】
シャワーヘッド全体を粘弾性体で覆うことを特徴とするシャワーヘッドカバー
【請求項２】
前記粘弾性体の表面に凹凸が設けられている請求項１に記載のシャワーヘッドカバー。
【請求項３】
吐水部を有するシャワーヘッドを覆う上部カバと前記シャワーヘッドとホースを接続する接続部を覆う下部カバーを有することを特徴とする請求項１又は２に記載のシャワーヘッドカバー。
【請求項４】
前記上部カバーに切れ込みを有する請求項３に記載のシャワーヘッドヘッドカバー。
【考案の詳細な説明】
【技術分野】
【０００１】本考案はシャワーヘッド（以下該ヘッドという）を覆う粘弾性体でできたシャワーヘッドカバー（以下該カバーという）に関するものである。
【背景技術】
【０００２】該ヘッドを落下させたり床に置いたりしたとき大きな音を出していた。また床に置いた該ヘッドをホースのまま引きずったりすると該ヘッドが床にあたって大きな音を出していた。
【先行技術文献】
【０００３】
【特許文献】
【特許文献】実開平０６−０７５２９０
【考案の概要】
【考案が解決しようとする課題】
【０００４】該ヘッドを床に落下させたり、床に置いたまま該ヘッドに繋がったホースを引きずったりすると該ヘッドが床にあたって大きな音を出していた。本考案はこの音の発生を軽減させることを目的とするものである。
【課題を解決するための手段】
【０００５】シャワーヘッド全体を粘弾性体（例えばゴム系、アクリル系、シリコン系等の高分子化合物）で覆うことを特徴とするシャワーヘッドカバー
【考案の効果】
【０００６】請求項１、２，３の構成を採用することにより該ヘッドを床に落下させたり、床に置いたまま該ヘッドに繋がったホースを引きずったりすると床にあたって出していた大きな音の発生を軽減したり、抑制することが出来る。
【図面の簡単な説明】
【０００７】
【図１】本考案の１体物の該カバーの説明図である。
【図２】本考案の該カバーを上部カバーと下部カバーの２枚に分けた内の上部カバーの説明図である
【図３】上記２枚に分けた下部カバーの説明図である。
【図４】該ヘッドの説明図である。
【図５】図４の該ヘッドと図５のホースの接続部を繋いだ該ヘッドに一体物の該カバーを覆った図である。
【図６】図５の該ヘッドに上部の該カバーと下部の該カバーで覆った説明図である。
【図７】図４の該ヘッドとホースを繋ぐ継ぎ手を示す説明図である
【図８】図７の該ヘッドに図２の上部カバーを覆った断面図である
【図９】図８のＡの部分を拡大した断面図である
【考案を実施するための形態】
【０００８】該ヘッドをそのまま落としたりホースを引きずったりすると大きな音を出していた。本考案はこれを防止するため該ヘッドに一体型の該カバーで覆うようにしたものである。
【０００９】更に上記カバーを上部と下部の２つに分けどんな形状にも合うようにするのが好ましい。
【００１０】また該カバーを厚めにして凹凸をつけるのがさらに望ましい。
【実施例】
【００１１】以下この考案の実施例について図面を参照して説明する。
図１の該カバーはどんな形状の該ヘッドにも合うようにする為よく伸びる前記粘弾性体で作ってある。
従ってこれを使用する時は該カバーの裾の部分を少し広げ該ヘッドに覆うことにより簡単に装着することができる。【００１２】図２は該カバーを２つに分けた上部を示すものであり、図３は２つに分けた下部を示すものである。これは該ヘッドの頭の部分が大きい該ヘッドに対応するため２つに分けたものである。いずれも前記粘弾性体で出来ており表面には凹凸を付けてある。このため該ヘッドを落下させたり、該ヘッドを床に置いた時、また床に置いた該ヘッドをホースのまま引きずったりしても殆ど音を立てることがなくなる。【００１３】さらに図２の該カバーの下部には該ヘッドに該カバーを覆うとき広がり易いよう切り込み１０を入れてある。【００１４】図３の下部の該カバーを該ヘッドに被せる場合は該カバーの上部を該ヘッドの継ぎ手７の部分に下から差し込むように入れれば簡単に挿入することができる。【００１５】既設のシャワーヘッドに対して本実施例のシャワーヘッドカバーを用いるときは図４の該ヘッドの下部７の部分と図７のホース９に繋がった継ぎ手８の部分は一般的にねじ式になっておりこれをねじ込むことにより繋がっている。
よってこれを外すときは該ヘッド下部７の部分とホースとの接手８の部分を左右反対方向に回すことにより取り外すことが出来るようになっている。
取り外した後は前述のごとく該ヘッドの下部７の部分に図３の下部該カバーの上部６の部分を差しみ、該ヘッド下部７とホースの継ぎ手８を繋いでその後図３の下部カバーを少し引き下げて継ぎ手８を覆っておけばよい。【００１６】該カバーの形状は該ヘッドの形状に合わせて適宜選定することが出来る。
【符号の説明】
【００１７】１      一体物のシャワーヘッドカバー
２      ２つに分けた上部のシャワーヘッドカバー
３      ２つに分けた下部のシャワーヘッドカバー
４      シャワーヘッド本体
５      シャワーヘッドの吐水部
６      下部シャワーヘッドカバーの上部
７      シャワーヘッドの下部
８      ホースとシャワーヘッドを繋ぐ繋ぎ手
９      ホース
１０    上部カバーの切れ込み
【図１】
0003209847.tif 000003
【図２】
0003209847.tif 000004
【図３】
0003209847.tif 000005
【図４】
0003209847.tif 000006
【図５】
0003209847.tif 000007
【図６】
0003209847.tif 000008
【図７】
0003209847.tif 000009
【図８】
0003209847.tif 000010
【図９】
0003209847.tif 000011
(57)【要約】      （修正有）【課題】コルセットのずれ防止と下腹部の不快感の両方を解消することのできるサポーターを提供する。【解決手段】腰に巻かれたコルセットを覆う腰部１と、大腿近位部２とを一体にしたサポーターＳとして、サポーターＳの腰部１は伸縮性を備え、通気孔を有したメッシュ状の繊維を用いる。サポーターＳの大腿近位部２は腰部１の繊維よりも柔らかい繊維を用いて、網目状で構成する。さらに、大腿近位部２の中心、股間の前側部分には、上下方向にスリット３を形成する。【選択図】図１
0003209845.tif 000002
【実用新案登録請求の範囲】
【請求項１】
腰に巻かれたコルセットを覆う腰部と、大腿近位部とが一体になった下半身に装着するサポーターであって、前記腰部は、伸縮性を備えるとともに、通気性を有したメッシュ状の繊維で構成されており、前記大腿近位部は前記腰部の繊維よりも柔らかい繊維を用いて網目状で構成されるとともに、前記大腿近位部の股間の前側部分に、上下方向にスリットが形成されていることを特徴とするサポーター。
【考案の詳細な説明】
【技術分野】
【０００１】      腰部と大腿近位部とが一体になった下半身に装着するサポーターに関するものである。
【背景技術】
【０００２】      簡易の腰部に巻き付けるコルセットは着用すると、上にずれやすく、度々位置を修正しなければならない煩わしさを伴う。
【先行技術文献】
【０００３】      このコルセットの上方へのずれを防止するためには、コルセットを覆うサポーターを設けることが望ましい。  このようなサポーターとしては、特許文献１がある。
【特許文献１】登録実用新案登録公報  第３０５５４２４号
【考案の概要】
【考案が解決しようとする課題】
【０００４】      腰部巻き付けコルセットのずれを防止ためには、  コルセットをしっかり固定化し、股間と大腿近位部にて上方へずれ上がる力を抑止するサポーターとすることが望まれる。しかしこの方法のみでは、サポーターとインナーとで二重になることから、  股間や下腹部が蒸れやすく、不快感を招くことになる。そのため、コルセットのずれ防止と下腹部の不快感の両方を解消することのできるサポーターが必要となる。
【課題を解決するための手段】
【０００５】      上述のことから、本考案は腰に巻かれたコルセットを覆う腰部と、大腿近位部とを一体にしたサポーターとして、サポーターの腰部は伸縮性を備え、通気孔を有したメッシュ状の繊維を用いる。サポーターの大腿近位部は前記腰部の繊維よりも柔らかい繊維を用いて、網目状で構成する。さらに、前記大腿近位部の中心、股間の前側部分には、上下方向にスリットを形成することで問題点を解決する
【考案の効果】
【０００６】      上述のように、本考案のサポーターは腰部位がコルセットを抱き込み固定化する役を果たし、前記大腿近位部はコルセットがずれ上がる力を抑止するとともに、繊維の通気孔が蒸れを逃がすことになる。  さらに、股間より前側のスリットが大きく開くことにより、一層通気性を促す。このスリットの構成により、下腹部の圧迫感をも緩めることにもなる。
【図面の簡単な説明】
【０００７】
【図１】  本考案のサポーターの前面図である。
【図２】  本考案のサポーターを装着した状態を示す側面図である。
【考案を実施するための形態】
【０００８】      以下、図面に基づいて本考案の実施例を説明する。  図１に示すようにサポーターＳは、腰部に装着されたコルセットＣを覆う腰部１と、該腰部１から下に延びて二股状となった大腿近位部２とから構成されている。そして、この大腿近位部２には、上下方向に延びるスリット３が形成されている。
【実施例】
【０００９】      前記サポーターＳはその腰部１が通気性を持たせるためにメッシュ状の繊維で構成されており、前記大腿近位部２は、前記腰部１の繊維より柔らかい繊維で構成されている。なお、前記腰部１と前記大腿近位部２は連続して編み込まれて構成されている。【００１０】      また、前記した腰部１の上縁部４は、腰部１の繊維よりも強めの伸縮性のある繊維で縁取られている。  さらに、前記大腿近位部２の下縁部５も前記大腿近位部２の繊維よりも強めの繊維で縁取られている。  なお、６はインナーを表している。
本考案の実施例は上述の如き構成からなるものであるから、コルセットのずれの防止に着用することは勿論であるが、本サポーターの形態から腹巻や各種腹帯のずれ止めとしても使用できる。種々の運動の際にも、下腹部の安定化に役立つ。更に尿漏れ対策として、吸湿シートの固定化のためのサポーターとしても有用である。
【符号の説明】
【００１１】      １  腰部
２  大腿近位部
３  スリット
４  上縁部
５  下縁部
６  インナー
【図１】
0003209845.tif 000003
【図２】
0003209845.tif 000004
(57)【要約】      （修正有）【課題】デザイン仕様の多様性とデリバリー簡易化と組立の簡略化を促進する簡単組立ソファを提供する。【解決手段】ソファを座面部、背もたれ部、アーム部、コーナー部、クッション部等にパーツ化、デザイン化しパーツの組み合わせにより１Ｐサイズ２Ｐサイズ等丸型角型等デザイン表地色等がエンドユーザーが選択可能とする。【選択図】図１
0003209841.tif 000002
【実用新案登録請求の範囲】
【請求項１】
ソファ各部位を総てパーツ化製品化したノブ付きボルトで座面部に設置組み立てた簡単組立ソファ。
【考案の詳細な説明】
【技術分野】
【０００１】ソファ製作、デリバリーの簡素化、デザイン及びエンドユーザーの要求にきめ細かく対応、在庫管理、製作管理、品質管理に関するものである。
【背景技術】
【０００２】ソファ製作現場、販売現場、流通現場に於いて管理の簡素化、品質の向上を促進するものである。組立が困難であったり専門技術を必要とした為積極的に効果を発するものは存在していなかった。
【先行技術文献】
【特許文献】
【０００３】
【特許文献１】
【特許文献２】
【非特許文献】
【０００４】
【非特許文献１】
【非特許文献２】
【考案の概要】
ソファ各部位をパーツ化製品化することにより一般住宅マンション等の高所階の設置デリバリーが困難であったが専門技術を必要としない組立方式で専用工具を必要としない簡単組立のソファ。
【考案が解決しようとする課題】
【０００５】ソファの各部位をパーツ化、製品化することにより製品の均一化と複数人以上ないとデリバリー設置が困難で有ったが狭い通路、階段の踊り場等を大型ソファでも搬入が可能である。
【課題を解決するための手段】
【０００６】考案の概要で加工されたものを座面部、背もたれ部、アーム部等にパーツ化、製品化し多様な形状のソファになり組立を座面部を設置すると各パーツを上から差込又はノブ付きボルトで固定することにより専用工具専用技術を必要としない。デザイン仕様により横から差込上から固定してもよい。
【考案の効果】
【０００７】狭い通路、階段の搬入デリバリーの簡易化、各パーツの組み合わせでデザイン仕様の多様化、製品の均一化を促進するものである。
【図面の簡単な説明】
【０００８】
【図１】詳細図である。
【考案を実施するための形態】
【０００９】本考案はパーツ状の形状であるため、目的、仕様に応じたパーツを組み立てる。
【実施例】
【００１０】座面部にアーム部、背もたれ部等を設置し専用開口部からノブ付きボルトを差し込み固定する。
【図１】
0003209841.tif 000003
【手続補正書】
【提出日】平成29年1月23日(2017.1.23)
【手続補正１】
【補正対象書類名】実用新案登録請求の範囲
【補正対象項目名】全文
【補正方法】変更
【補正の内容】
【実用新案登録請求の範囲】
【請求項１】
座面部を含むソファ各部位を総てパーツ化し、前記座面部以外のソファ各部位をノブ付きボルトで前記座面部に設置組み立てることを特徴とする簡単組立ソファ。
(57)【要約】      （修正有）【課題】引きバネとバネが伸び過ぎないように調節された鎖を固定する事でワイヤーロープに直接伝わる衝撃を吸収する括り罠の衝撃吸収装置を提供する。【解決手段】引きバネ１の一方取り付け部２に、鎖４と括り用のワイヤーロープ６に固定してある寄り戻し５に、取り付け金具で固定し、もう一方の取り付け部３に長さを調節した鎖４の先端を固定用のワイヤーロープ７で固定し、また、括り罠を固定するワイヤーロープ６、７の中間部の同一位置に引きバネ１と鎖４とを並列して設けた。【選択図】図１
0003209859.tif 000002
【実用新案登録請求の範囲】
【請求項１】
引きバネの一方取り付け部に、鎖と括り用のワイヤーロープに固定してある寄り戻しに、取り付け金具で固定し、もう一方の取り付け部に長さを調節した鎖の先端を固定用のワイヤーロープで固定する事が特徴の、括り罠の衝撃吸収装置。
【請求項２】
括り罠を固定するワイヤーロープの中間部の同一位置に引張バネと鎖とを並列して設けたことを特徴とする括り罠の衝撃吸収装置。
【考案の詳細な説明】
【技術分野】
【０００１】  本考案は、猪や鹿等の動物を生きたまま捕獲する括り罠に使用される捕獲ロープ用の衝撃吸収装置に関するものである。
【背景技術】
【０００２】  猪や鹿等の大型動物を捕獲する時はワイヤーロープを使って括り罠で捕獲するのだが、通常では切れないワイヤーロープが、何度も回転したり、引いたりを繰り返している内に切れてしまう事がある、そこで回転する力に耐えるように寄り戻しを付ける事が義務付けられたが、引く力には義務付けられるまでにはなっておらず、それが原因で逃げられてしまう事が今でも続いている。その為、ロープの途中に緩衝器を設けるものが各種提案されている（例えば、特許文献１参照。）。
【先行技術文献】
【特許文献】
【０００３】
【特許文献１】実開平２−１２０１７１号公報
【考案の概要】
【考案が解決しようとする課題】
【０００４】  従来（上記先行技術文献）の捕獲ロープ用衝撃器は、バネの中に鎖を収納して、バネの破損を防ぐように考案された物だが、バネの中に鎖を収納すると内径が大きくなってしまい、張力も弱くなってしまう、内径を細くするとバネの張力は強くなるが、鎖が少ししか入らないので十分なバネの張力を発揮できない、また、構造が複雑化するため高価なものになってしまう。
【課題を解決するための手段】
【０００５】  本考案は、引きバネの外に鎖を出すことで、内径を細くする事が出来ると同時に、同じに線径なら張力も増すので小型軽量化する事ができる。
【考案の効果】
【０００６】  上記の様に、本考案の括り罠の衝撃吸収装置は、構造が簡単でバネの内径を細くする事で張力も増やす事ができたので小型軽量化する事ができた、バネの先端取り付け部に取り付け金具で鎖と寄り戻しを固定する事で、今まで使用している括り罠に誰でも簡単に取り付ける事ができる。また捕獲する動物の体重に応じて様々な荷重のバネに交換することも容易である、
【図面の簡単な説明】
【０００７】
【図１】本考案の正面図である（引張られていない状態）
【図２】本考案の使用状態を示す図である（引張られた状態）
【考案を実施するための形態】
【０００８】  引きバネの一方に括り部のワイヤーロープ側の寄り戻しに、長さを調節された鎖と寄り戻しの１方を取り付け金具で固定する、反対の取り付け部に鎖をワイヤーロープで固定する、また、このワイヤーロープは獲物が逃げられないように立木等に固定する。
本考案の実施の形態を図１及び図２に基づいて説明する。図１は引張力が働いていない状態の衝撃吸収装置の正面図である。図２は動物が罠にかかって引張力が働いている状態を示している。図１中、１は引きバネ（引張バネ）、２はバネの取り付け部１、３はバネの取り付け部２、４は鎖、５は寄り戻し、６は括り用ワイヤーロープであり括り罠本体につながり、７は固定用ワイヤーロープであり立木等の固定部につながり、８はワイヤーロープカシメ金具である。括り罠を固定するロープの中間部の同一位置に引張バネと鎖とを並列して配置するとともに、当該引張バネと鎖との少なくとも一端部は寄り戻しを介してロープに接続するものである。また当然ながら鎖４は引張バネ１の自然長よりも長く設定する。
上記構成により、動物が罠にかかって暴れた場合であっても、引張バネがワイヤーロープの伸長方向の力を吸収するとともに、寄り戻しが回転方向の力を吸収することにより、ロープに作用する衝撃力を減少させることができ、ロープの切断事故を防止することができる。
【符号の説明】
【０００９】１  引きバネ                    ５  寄り戻し
２  バネの取り付け部１          ６  括り用ワイヤーロープ
３  バネの取り付け部２          ７  固定用ワイヤーロープ
４  鎖                          ８  ワイヤーロープカシメ金具
【図１】
0003209859.tif 000003
【図２】
0003209859.tif 000004
(57)【要約】      （修正有）【課題】一度に複数の計量物を計ることを可能とし、また、計量以外の目的での使用を可能とすることで、作業性や利便性が向上する計量容器を提供する。【解決手段】計量容器Ａは、上方に開口部１を有して内部が外部から視認できるとともに開口部１の一部に注口部を有するカップ状の器３からなり、前記内部を複数の部屋Ｂ１〜Ｂ３に区画するため器３の底部から注口部の手前まで立設する仕切壁４ａ、４ｂを有する。【選択図】図１
0003209855.tif 000002
【実用新案登録請求の範囲】
【請求項１】
上方に開口部を有して内部が外部から視認できるとともに前記開口部の一部に注口部を有するカップ状の器からなる計量容器であって、前記内部を複数の部屋に区画するため前記器の底部から前記注口部の手前まで立設する仕切壁を有することを特徴とする計量容器。
【請求項２】
前記複数の部屋の各容積が均等となるように前記仕切壁を垂直形成し、前記各容積を共通して示す目盛を前記器の外周面に有することを特徴とする請求項１に記載の計量容器。
【考案の詳細な説明】
【技術分野】
【０００１】  本考案は、調理時に用いる醤油、酒、みりん、出汁などの液体状調味料や、砂糖、塩、ゴマなどの粉末状調味料である計量物を計る計量容器に関する。
【背景技術】
【０００２】  斯かる計量容器として、樹脂製やガラス製の所謂計量カップが知られている（例えば、特許文献１参照）。
【先行技術文献】
【特許文献】
【０００３】
【特許文献１】特開２００３−１８５４８９号公報
【考案の概要】
【考案が解決しようとする課題】
【０００４】  斯かる従来の計量容器は、一度に一種類の計量物しか計れず、多くの計量物たる調味料を使用する調理時には、調味料を何度も入れ替えて計る必要があることから、手間がかかっていた。【０００５】  また、従来の計量容器は、計量物を計ることのみを目的としており、利用価値が低かった。【０００６】  本考案は、このような従来の問題を解決するものであり、一度に複数の計量物を計ることを可能とし、また、計量以外の目的での使用を可能とする計量容器の提供を目的とするものである。
【課題を解決するための手段】
【０００７】  本考案に係る計量容器は、上方に開口部を有して内部が外部から視認できるとともに前記開口部の一部に注口部を有するカップ状の器からなる計量容器であって、前記内部を複数の部屋に区画するため前記器の底部から前記注口部の手前まで立設する仕切壁を有するものである。【０００８】  また、本考案に係る計量容器は、前記複数の部屋の各容積が均等となるように前記仕切壁を垂直形成し、前記各容積を共通して示す目盛を前記器の外周面に有するものである。
【考案の効果】
【０００９】  本考案によれば、前記複数の部屋ごと複数の計量物を入れることで一度に複数の計量物を計ることを可能とし、更に、最適に調合した後に未使用の計量物が残ったとしてもそのままの状態で保管することができ次回の利用に供することができる保管容器としてもできるので計量以外の目的での使用を可能とする。
【図面の簡単な説明】
【００１０】
【図１】  本考案の実施例を示す斜視図である。
【図２】  同実施例の他の方向からの斜視図である。
【考案を実施するための形態】
【００１１】  本考案に係る計量容器は、上方に開口部を有して内部が外部から視認できるとともに前記開口部の一部に注口部を有するカップ状の器からなる計量容器であって、前記内部を複数の部屋に区画するため前記器の底部から前記注口部の手前まで立設する仕切壁を有するものであり、特に、前記複数の部屋の各容積が均等となるように前記仕切壁を垂直形成し、前記各容積を共通して示す目盛を前記器の外周面に有することにより、前記複数の部屋ごと複数の計量物を入れることで一度に複数の計量物を計ることを可能とするため、作業性が向上すると共に、最適に調合した後に未使用の計量物はそのまま保管できるので利便性が向上するものである。
【実施例】
【００１２】  以下、添付図面に従って一実施例を説明する。【００１３】  計量容器Ａは、内部が外部から視認できる透明または半透明の無色または着色の硬質プラスチック製で上方に開口部１を有すると共に、その開口部１の一部に開口部１から外方へ屈曲形成した凹部や窪みからなる注口部２を有する、水平断面形状が略四角カップ状の器３からなる。【００１４】  前記内部を複数の部屋Ｂ１〜Ｂ３に三区画するため器３の底部から注口部２の手前まで立設する２つの仕切壁４ａ、４ｂを有している。【００１５】  斯かる構成からなる計量容器Ａは、部屋Ｂ１〜Ｂ３単位で異なる計量物を入れることで一度に複数の計量物を計ることができるので、作業性が向上する。【００１６】  また、この計量容器Ａでは、最適に調合した後に未使用の計量物はそのまま保管できるので、再度計量し直すこともなくなり、利便性が向上する。【００１７】  なお、この構成では、計量物の測定のための目盛（図示しない）を器３の外周面に部屋Ｂ１〜Ｂ３に対応して適宜設ける。【００１８】  更に、部屋Ｂ１〜Ｂ３の各容積が均等となるように仕切壁４ａ、４ｂを垂直形成し、前記各容積を共通して示す目盛５を器３の外周面に有することにより、より簡便に一度に複数の計量物を計ることができ、一層作業性が向上する。【００１９】  なお、本考案は、上記実施例に限定されるものでないことは言うまでもなく、種々の変形が可能である。【００２０】  例えば、器３の外周に取手を付ければ、持ち運びに便利となるし、あるいは、２個の仕切壁を各中央で直角に交差した状態で器３の内部を区画するように設ければ、４個の部屋を得ることができて同時に４種類の計量物を計ることができるなど、部屋や仕切壁の数は限定されない。【００２１】  また、調理時の使用ではなく、絵画作成時の絵の具の色彩調整用、コンクリートや建築壁材の調合用など、応用することもできる。
【符号の説明】
【００２２】    １  開口部
２  注口部
３  器
４ａ、４ｂ  仕切壁
５  目盛
Ａ  計量容器
Ｂ１、Ｂ２、Ｂ３  部屋
【図１】
0003209855.tif 000003
【図２】
0003209855.tif 000004
(57)【要約】      （修正有）【課題】従来の機能に加え、掃き止め部を開閉自在にし、ゴミの、チリトリへの掃き入れからゴミ袋への収納までを一連の作業で可能とするチリトリを提供する。【解決手段】チリトリの掃き止め部３を開閉自在にし、チリトリの側板間の境界に掃き止め部止め具４を設置する。当該止め具の施錠により通常のチリトリ仕様に、開錠により、ゴミの収集と収納を一連の作業で可能となる。チリトリの底板と取っ手７上部との間に補助棒５を設置し、当該補助棒上に袋止め具６を設置する。【選択図】図１
0003209854.tif 000002
【実用新案登録請求の範囲】
【請求項１】
矩形状の底板と、前記矩形状の底板における３辺に設けられた側板とから構成されるチリトリ本体と、前記矩形状の底板における３辺に設けられた側板のうち対向する２辺に設けられた一対の側板間に懸架される取っ手、及び、前記矩形状の底板と前記取っ手の上部との間に、並行に、前記取っ手の左右に渡された補助棒とからなり、前記矩形状の底板における３辺に設けられた側板のうち、対向する２辺とは別の１辺に設けられた側板が開閉自在であることを特徴とするチリトリ。
【請求項２】
前記矩形状の底板における３辺に設けられた側板間の接合する境界に掃き止め部止め具を設置したことを特徴とする請求書１記載のチリトリ。
【請求項３】
前記補助棒上に、袋止め具を設けたことを特徴とする請求書１記載のチリトリ。
【考案の詳細な説明】
【技術分野】
【０００１】  この実用新案は、ゴミ類の収集等に使用するチリトリの形状に関する。
【背景技術】
【０００２】  従来のチリトリの形状は、図２に示すように、チリトリ本体の、ゴミの掃き入れ口とゴミを排出する箇所が同一箇所である。
【考案の概要】
【考案が解決しようとする課題】
【０００３】  しかしながら、以上の技術によれば、大量の枝葉や粉塵などをチリトリに掃き集めゴミ袋に入れようとすると、掃き止め部を手で支える必要もでてくる。また、ゴミ袋が柔らかいため、ゴミをチリトリからゴミ袋に移動する際、ゴミ袋の外にゴミがこぼれることも多い。
さらに、ゴミをチリトリに掃き入れる動作と、チリトリからゴミ袋に入れる動作を何度も繰り返さなければならない。
そこで、この考案は、従来の機能に加え、掃き止め部を開閉自在にし、ゴミの、チリトリへの掃き入れからゴミ袋への収納までを一連の作業で可能とするチリトリを提供することを課題とする。
【課題を解決するための手段】
【０００４】  以上の課題を解決するために、第一考案は、チリトリ本体１の底板における３辺に設けられた側板間の境界を接合せず、かつ、前記チリトリ本体１の底板における３辺に設けられた側板のうち、対をなさない側板と当該底板との境界を屈伸可能にし、対をなさない側板である掃き止め部３を開閉自在にしたことを特徴とするチリトリである
また、第二考案は、当該チリトリ本体１の底板における３辺に設けられた側板間の境界に、施錠、開錠可能な掃き止め部止め具４を設置したことを特徴とするチリトリである。
第三考案は、当該チリトリ本体１の底板と、前記チリトリ本体１の底板における３辺に設けられた側板のうち対をなす側板に懸架した取っ手７上部との間に、当該底板と取っ手７と並行に、当該取っ手７の左右に渡る補助棒５を設置したことを特徴とするチリトリである。
第四考案は、前記補助棒５上に袋止め具６を設置したことを特徴とするチリトリである。
【考案の効果】
【０００５】  第一考案及び第二考案によれば、チリトリ本体１の底板における３辺に設けられた側板間の境界に設置された掃き止め部止め具４の施錠時には、通常のチリトリの機能として使用し、前記掃き止め部止め具４の開錠時には、掃き止め部３が外側に開いた状態となり、掃き入れ口と排出部が同一方向となり、ゴミの、チリトリへの掃き入れからゴミ袋への収納までを一連の作業で可能となる。
第三考案によれば、補助棒５を設置することにより、ゴミ袋口縁部を固定させる袋止め具６を取り付けることができる。
第四考案によれば、補助棒５に袋止め具６を設置することにより、ゴミ袋口縁部を固定させることができ、掃き入れ口３より掃き入れられたゴミが、ゴミ袋の中に置かれたチリトリ本体１を通してそのままゴミ袋の中に収納できる。
【図面の簡単な説明】
【０００６】
【図１】この考案の一実施形態を示す斜視図である。
【図２】従来技術を示す斜視図である。
【考案を実施するための形態】
【０００７】  この考案の一実施形態を図１に示す。
チリトリ本体１の底板における３辺に設けられた側板間の境界を接合せず、当該チリトリ本体１の底板における３辺に設けられた側板間の境界に掃き止め部止め具４を設置し、かつ、掃き止め部３に当たる側板と当該底板との境界を屈折可能にする。チリトリ本体１の底板と取っ手７上部との間に、並行に、取っ手７の左右に渡る補助棒５を設置し、当該補助棒５の二箇所に袋止め具６を設置する。
【実施例】
【０００８】  チリトリ本体１の底板における３辺に設けられた側板間を接合している掃き止め部止め具４を開錠し、掃き止め部３を外側に開く。ゴミ袋の開口部に、掃き入れ口２を手前にしてチリトリ本体１を入れ、ゴミ袋口縁部を、取っ手７に設置された補助棒５上の袋止め具６で止める。ゴミ袋開口部の下部はチリトリ本体１の底板の下になり固定される。箒などで、ゴミを、ゴミ袋の中に設置されたチリトリ本体１に掃き入れる。掃き入れられたゴミは、チリトリ本体１を通過してゴミ袋の中に収納される。
通常のチリトリとして使用したいときは、掃き止め部３を、チリトリ本体１の底板に垂直に立て、掃き止め部止め具４を施錠する。
【符号の説明】
【０００９】  １  チリトリ本体    ２  掃き入れ口    ３  掃き止め部      ４  掃き止め部止め具  ５  補助棒      ６  袋止め具          ７  取っ手
【図１】
0003209854.tif 000003
【図２】
0003209854.tif 000004
(57)【要約】      （修正有）【課題】片手（左手）でプレートを持ち、空いている右手で、食べる・飲む・名刺の交換が立ったまま可能となる機能性の高い立食パーティー用のプレートを提供する。【解決手段】上面に食器をはめ込む孔部分２と、孔に対応して飲物グラス等を乗せるすべり止めを施した台１を併設し、且つ台の下部外周に切り溝３を設けて、そこに名刺を挟み込む厚紙製とし、一般廃棄物として会場で廃棄、及び家庭に持ち帰って使用後に家庭ゴミとして廃棄できるのが好ましい。【選択図】図１
0003209375.tif 000002
【実用新案登録請求の範囲】
【請求項１】
主に立食パーティーで使用する機器であり、料理・飲み物・名刺が一つの機器に収納でき、動きながら飲食が可能で、挨拶時には名刺交換ができる多機能プレート。
【請求項２】
素材は厚紙製で一般廃棄物として、会場での廃棄処分及び家庭に持ち帰っての器具として使用後には家庭ゴミとして廃棄できる。
【考案の詳細な説明】
【技術分野】
【０００１】本考案は主に立食パーティーの会場にて使用する飲食用の受け皿に関するものである
【背景技術】
【０００２】現代では主に企業を中心として各種団体又は個人の交流会を飲食しながら、親睦を図る場面が多くあり、それは有効的な時を過ごしながらお互いに情報を交換する場所でもあります。その際には立ったまま飲食物を持って名刺交換等を行う事になります。
例えば実用新案文献１に示すように穴の空いたプレートは提案されており、そこに料理の器をはめ込み移動しても落ちないタイプのものです。
【先行技術文献】
【実用新案文献】
【０００３】
【選択された文献１】
特開２００３−０５２５１６  名称（立食用グラス保時機能付受皿）
【選択さえた文献２】
実開平０５−０２９４７３  名称（立食用支持皿）
【考案概要】
【考案が解決しようとする課題】
【０００４】しかし、上記提案のプレート（お盆）では料理と飲み物をのせる事はできるが、そのままで名刺を取出し交換をする事はできないという問題があった。
【０００５】そこで本考案はこのような課題を解決するもので、従来のプレートにくらべ、持ち運びやすく機能性が高い。又材料は一般廃棄物の分類品としリサイクル可能で環境への配慮したプレートの提供を目的とする。
【課題を解決するための手段】
【０００６】上記課題を解決するために、本第１考案のプレートでは素材を厚紙製にして片手で持ち運びしても負担がかからないように重量を極力軽減できるように考案した。
【０００７】本第２考案は料理の器をはめ込めるように丸く抜き（１）、飲み物を置く部分はグラスが滑らないように滑りどめをを貼った（２）。例えば左手でプレートを持つ場合は、（１）に料理をはめ込み、（２）にグラスを置いてそのグラスを親指と人差し指で支えて固定する形となる。料理の器は一定にできるが、グラスのサイズは飲み物の種類によって異なるため、どのサイズにも適用できるように設計した。
【０００８】本第３考案は（２）の下は貼り合わせ仕様になっており、そこに名刺が入り隙間を作り、名刺を抜いたり指し込んだりできるように設計した。
【０００９】０００６〜０００８により片手（左手）の本プレートを持てば、料理・飲み物、名刺が収まり、空いている右手で、食べる・飲む・名刺の交換が立ったまま可能となる。
【００１０】上記カッコ内の符号は、後述する実施形態に記載の具体的手段との対応関係を参考的に示すものである
【考案の効果】
【００１１】以上のように本考案のプレートによれば料理・飲み物・名刺が一体で片手での持運びができるため、立食パーティーが効果的にできる。
【図面の簡単な説明】
【図１】Ｄ−Ｐｌａｔｅの全体斜図である
【図２】Ｄ−Ｐｌａｔｅの上からの正面図である
【図３】Ｄ−Ｐｌａｔｅの横からの正面図である
【図４】Ｄ−Ｐｌａｔｅに料理・飲み物・名刺をセットした時のイメージ図である
【図５】実際に使用した時のイメージである
【考案を実施するための形態】
【００１２】尚、以下に説明する実施形態はあくまでも一例であり、本考案の趣旨を逸脱しない範囲で当業者が行う種々の設計的改良も本考案の範囲に含まれる
【００１３】（１）は料理をはめ込む部分である。円形にくりぬき、厚紙で３重の層にして強度を増し、サイズはパーティー会場で使用するサイズとする、そのためこのサイズは会場の要求に合わせ変える場合もある
【００１４】（２）は飲み物グラスを置く部分であり、厚紙で何重かの層を作りグラス面には滑り止めを施し片手で持てるサイズとする
【００１５】（３）は名刺を挟み込む部分でありグラスをのせる部分の下の部分となる。何重かの層を名刺の挟み込めるサイズをくり抜き名刺を指し込む設計をする
【図１】
0003209375.tif 000003
【図２】
0003209375.tif 000004
【図３】
0003209375.tif 000005
【図４】
0003209375.tif 000006
【図５】
0003209375.tif 000007
【手続補正書】
【提出日】平成28年12月15日(2016.12.15)
【手続補正１】
【補正対象書類名】実用新案登録請求の範囲
【補正対象項目名】全文
【補正方法】変更
【補正の内容】
【実用新案登録請求の範囲】
【請求項１】
形態は上面に食器をはめ込む孔部分（２）と、前記孔に対応して飲物グラス等を乗せるすべり止めが施してある台（１）を併設して、且つ前記台の下部外周に切り溝（３）を設けて、そこに名刺を挟み込む事が出来る特徴を持った立食用パーティープレート。
【請求項２】
素材は厚紙製で一般廃棄物として、会場での廃棄処分及び家庭に持ち帰っての器具として使用後には家庭ゴミとして廃棄できる、食器と飲物グラスと名刺が１度に併設できる請求項１記載の立食用パーティープレート。
(57)【要約】      （修正有）【課題】ボイラーに供給する燃料の燃焼効率を高め、有害成分を減少させ、環境に優しい燃料フィルターを提供する。【解決手段】燃焼効率を高めるためには、燃料フィルター１の筒状の管内に多方向吹出管４を内設し、球状の遠赤外線放射物質を充鎮する。多方向吹出管４の細管の多数の吹出口５から圧力のかかった燃料が噴出することにより、遠赤外線放射物質充填空間に拡散し、燃料のクラスターを微細化することにより燃焼効率を高める。【選択図】図１
0003209374.tif 000002
【実用新案登録請求の範囲】
【請求項１】
ボイラーの燃焼効率を高めるためには、燃料フィルターの筒状の管内に数本の吹出口付細管からなる多方向吹出管を内設し、間隙に充鎮した遠赤外線放射物質に細管の多数の吹出口から燃料を噴出させることにより、クラスターを微細化してボイラーに供給することを特徴とした燃料フィルター。
【考案の詳細な説明】
【技術分野】
【０００１】  本考案は、ボイラーに供給する燃料（灯油、軽油、重油等）の燃焼効率を高め、有害成分を減少させ、環境に優しい燃料フィルターに関するものである。
【背景技術】
【０００２】  各種燃料の燃焼効率を高めるため、又は環境に悪影響を及ぼさないための工夫は様々な形で研究され種々の商品が市場をにぎわせているが、確実に効率のよい安価でメンテナンスが簡単な燃料フィルターはない。【０００３】  例えば、遠赤外線放射物質を球状にしたものは、既に特許文献１に示されている製品の提案がある。
【先行技術文献】
【特許文献】
【０００４】
【特許文献１】  特許第  ４４０２４８４号  特許公報
【０００５】    しかし、燃料フィルターの燃料の流入口及び流出口を有する筒状の容器の管内に球状の放射遠赤外線物質を充填した中に燃料を流し込むことでクラスターを微細にすることだけでは、燃焼効率の改善に難しい面がある。
【考案の開示】
【考案が解決しようとする課題】
【０００６】  燃焼効率を高め、環境に悪影響を及ばさないための燃料フィルターを提供することを目的とする。
【課題を解決するための手段】
【０００７】  従来の解決手段としては、燃料組成及び燃焼機関の改善であったが、それでも不完全燃焼による環境に有害な物質（炭化水素・窒素酸化物等）を拡散させている。これらを更に減少させるために、遠赤外線を放射（トルマリン・セラミック等）する燃費改善フィルターがある。しかしながら、クラスターを微細にするために放射遠赤外線物質の中を通過させるだけでなく、燃料に圧力をかけフィルター内部に多方向に噴射する構造の多方向吹出管を内設することにより、多数の吹出口から出る燃料が放射遠赤外線物質の中を通過して流出口より導管を経由してボイラーで効率よく燃焼される。
【考案の効果】
【０００８】  上述のように、従来の燃料フィルターと比較して効率よく送り込まれた燃料が微細化され、燃焼効率を高め、環境に対する影響を更に軽減させることができる。【０００９】  以下、本考案の実施形態を図１〜図４に基づいて説明する。【００１０】  図１に於いては、１は燃料フィルターの本体で２は燃料流入口３は燃料流出口である。６、６ａはステンレス金網で遠赤外線放射物質を閉じ込めるための仕切板の役目をする。４の多方向吹出管の数本の細管には、多数の吹出口５が設けられている。【００１１】  図２は流入口側のＢ−Ｂ線断面図である。【００１２】  図３は流出口側のＣ−Ｃ線断面図である。【００１３】  図４は１の長手方向の一部断面図で７、７ａ、７ｂ、の空間に遠赤外線放射物質が閉じ込められている。
【図面の簡単な説明】
【００１４】
【図１】  本考案の燃料フィルターのＡ−Ａ線一部断面図
【図２】  本考案の燃料フィルターのＢ−Ｂ線断面図
【図３】  本考案の燃料フィルターのＣ−Ｃ線断面図
【図４】  本考案の燃料フィルターの長手方向一部断面図
【符号の説明】
【００１５】  １  燃料フィルター本体
２  流入口
３  流出口
４  多方向吹出管
５  吹出口
６  ステンレス金網（流入口）
６ａ  ステンレス金網（流出口）
７  遠赤外線放射物質充填空間
７ａ，７ｂ  遠赤外線放射物質充填空間
【図１】
0003209374.tif 000003
【図２】
0003209374.tif 000004
【図３】
0003209374.tif 000005
【図４】
0003209374.tif 000006
【手続補正書】
【提出日】平成28年12月16日(2016.12.16)
【手続補正１】
【補正対象書類名】実用新案登録請求の範囲
【補正対象項目名】請求項１
【補正方法】変更
【補正の内容】
【請求項１】
ボイラーの燃焼効率を高めるためには、燃焼フィルターの筒状の管内に数本の吹出口付細管からなる多方向吹出管を内設し、多方向吹出管内の間隙に充填した遠赤外線放射物質に細管の多数の吹出口から燃料を噴出させることにより、クラスターを微細化してボイラーに供給することを特徴とした燃料フィルター。
(57)【要約】      （修正有）【課題】布団の湿気、臭気、体臭を除去するベッド、畳用スタンドを提供する。【解決手段】門形のスタンド本体を形成させる２機体のパイプ部体２、２と、その下部にキャスター６、６を羅着部５、５をもって形成し、２機体それぞれの両体上部に布団を掛ける着脱自在の横パイプ体１０、１１で形成され、空気流通を高めることにより、布団の熱気、湿気、体臭、加齢臭を除去することに役立つ。【選択図】図１
0003209386.tif 000002
【実用新案登録請求の範囲】
【請求項１】
門形のスタンド本体を形成させる２機体のパイプ部体のそれぞれ下部に、車輪付きキャスターを設け、前記２機体それぞれの両体上部に着脱自在の所用数の横パイプ体を係着し、門形に形成していることを特徴とした、布団の熱気、湿気、体臭、加齢臭を除去するベッド、畳用スタンド。
【請求項２】
スタンド本体の横バイプ体を二段とした請求項１記載の、布団の熱気、湿気、体臭、加齢臭を除去するベッド、畳用スタンド。
【請求項３】
スタンド本体の横パイプ体を一段とした請求項１記載の布団の、熱気、湿気、体臭、加齢臭を除去するベッド、畳用スタンド。
【考案の詳細な説明】
【技術分野】
【０００１】本考案は、布団の熱気、湿気、体臭、加齢臭を除去するベッド、畳用スタンドに関する。
【背景技術】
【０００２】従来、毎日寝ていたベッドの場合、寝ていた布団の熱気、湿気、体臭、加齢臭など取る時は、掛け布団を足元くらいまでしかめくれなかった。ベッドメイキングの時などは、掛け布団を床や畳に無造作に放り出していた。【０００３】一流ホテルのメイドさんでさえ、臭いへの関心、熱への関心の意識がなく、無造作に放り出していたのが現状であった。【０００４】又、布団専用掃除機などで、ダニや、ホコリを掃除する時なども、掛け布団の事など誰も考えず、放り出していたのも現実だった。【０００５】又、畳の場合、朝起きた時、すぐに熱気、湿気、体臭、加齢臭がある布団をたたんで、押し入れにしまっていた。【０００６】前述したように、体から出る熱気、湿気、体臭、加齢臭を除去する適切な手段の開発が叫ばれながら、なかなか実現されなかった。
【考案の概要】
【考案が解決しようとする課題】
【０００７】上記技術においては、布団の熱気、湿気、体臭、加齢臭など取ることが簡単にできる新技術の開発が望まれていた。【０００８】上記情勢に鑑み、布団の熱気、湿気、体臭、加齢臭を除くことを目的とする。
【課題を解決するための手段】
【０００９】本考案は、上述の如く構成されているから、門形のスタンド本体の２機体のそれぞれのパイプ部体の下部に、回動自在の車輪付きキャスターを設け、２機体のパイプ部体のそれぞれの上部に着脱自在の横パイプ体を系着し、前記パイプ部体とキャスターの組立てにより形成した構成である。【００１０】前記構成によって、ベッド、畳用の寝具は、スタンドに布団を掛けることによって、空気の流通をよくすることで、熱気、湿気、体臭、加齢臭を除去することができる。
【考案の効果】
【００１１】上記のように、従来毎日朝晩使用した布団の熱気、湿気、臭気、加齢臭を除去するスタンドの必要性が長年にわたり叫ばれながらも、なかなか実現できなかった。本考案は、その要望に応える考案である。【００１２】本考案は、空気流通と移動性をよくするために前述したように、各パイプ体を組み合わせることによって、布団を横パイプ体に掛けておけば、自然に空気流通で湿気、臭気、熱気等が除去できる。【００１３】スタンドの移動性を高めるために、スタンド本体の両側パイプ部体の下部にキャスターを設け、移動に固定化ができる本考案である。【００１４】本考案は、ベッドの補助機具として最適なものである。これからは、寝具の一部として、１ベッドに１つ１対で、畳は１布団に１つ１対で、対応していくと、ますます便利になる。【００１５】本考案のスタンドは、価格も低廉で、しかも布団が清潔で、臭気、湿気等が除去できるベッド、畳用のスタンドを提供するものである。
【図面の簡単な説明】
【００１６】
【図１】  本考案の二段式スタンドの説明図である。
【図２】  本考案の一段式スタンドの説明図である。
【考案を実施するための形態】
【００１７】以下、本考案の実施の形態を図面に基づき詳細に説明する。
【００１８】図１は、本考案の二段式のスタンド説明図であり、図２は、本考案の一段式のスタンド説明図である。
【００１９】図１に示すように、門形のスタンド本体を形成させる２機体パイプ部体（２）、（２）のそれぞれに折り曲げ部（３）を形成し、該パイプ体の羅着部（４）、（４）を設け、該下部の両体に自由自在、固定ができる車輪付きキャスター台板（６）、（６）に車輪（７）、（７）を設け、前記２機体パイプ部隊（２）、（２）の両体のそれぞれ上部に、空気流通をよくする着脱自在の二段式横パイプ体（１０）、（１１）をパイプ部体の羅着部（４）、（４）で羅着し固定され、門形の本体（１）を形成する構成の本考案である。
【００２０】図２に示すように、門形のスタンド本体を形成させる２機体パイプ部体（２）、（２）のそれぞれに折り曲げ部（３）、（３）を形成し、該パイプ体上部に羅着部（４）、（４）を設け、該下部の両体に、自由自在に動ける固定ができる車輪付きキャスター（６）、（６）に車輪（７）、（７）を設け、前記２機体のパイプ部体（２）、（２）の両体のそれぞれ上部に空気流通をよくする着脱自在の一段式横パイプ部体（１０）を設け、前記両パイプ部体（２）、（２）の羅着部（４）、（４）で羅着固定され、門形の本体（１）を形成し、構成されたものが本考案の一段式スタンドである。
【００２１】本考案の構成、作用をさらに詳細に述べれば、毎日寝ている寝具の湿気、臭気、体臭等を簡単に除去する補助機が本考案である。
【００２２】本考案の特徴点は、次のとおり。
第１点は、着脱自在のパイプ部体（２）、（２）の主体と、その下部にキャスターを設けて、移動性を高め、さらにキャスターにストッパー付き（図示せず）で、安全性を高めた。
【００２３】第２点は、着脱自在の横パイプ部体を二段式としたことによって、空気流通性を良くして、湿気、臭気などが簡単に除去できる。
【００２４】第３点は、着脱自在のパイプ体と、キャスター部体の組立てができ、運搬と格納等が容易にできる。
【符号の説明】
【００２５】１  スタンド本体
２  パイプ部体
３  折り曲げ部
４  羅着部
５  キャスター羅着部
６  キャスター板
７  車輪
【図１】
0003209386.tif 000003
【図２】
0003209386.tif 000004
(57)【要約】      （修正有）【課題】袋内に収納物を完全に保管し、袋を簡単かつ、封緘具を使用しないで封緘し、二重粘着剤封緘において、完全封緘することができる完全密封式袋を提供する。【解決手段】合成樹脂からなる袋の、第一パネル１の内側上部に第一粘着剤３を袋幅方向に塗布し、さらに、第一粘着剤３より袋下部に第二粘着剤４を袋幅方向に、第一接着剤３と平行に第二粘着剤４を塗布して、袋内部に平行に二本の粘着剤を塗布する。これによって、合成樹脂からなる袋の、袋内部よりの、圧力による、袋の開封を無くする。【選択図】図１
0003209385.tif 000002
【実用新案登録請求の範囲】
【請求項１】
合成樹脂からなる袋の、第一パネルの内側上部に第一粘着剤を袋幅方向に塗布する、さらに、第一粘着剤より袋下部に第二粘着剤を袋幅方向に、第一粘着剤と平行に第二粘着剤を塗布する、袋内部に平行に二列の粘着剤を塗布した、完全密封式袋。
【請求項２】
第一粘着剤および、第二粘着剤部に非粘着テープを張り合わされた、完全密封式袋。
【請求項３】
第一パネルの，各粘着剤塗布面に第二パネルを重ね合わせて、各パネルの横部と底部を熱接着する、完全密封式袋。
【考案の詳細な説明】
【技術分野】
【０００１】  合成樹脂からなる袋の、完全密封式袋に関する。
【背景技術】
【０００２】  袋内の納入物を完全に袋内に保管する完全密封式袋。【０００３】  従来の袋は袋内よりの圧力によった、袋が開封することが多くあります。【０００４】
【先行技術文献】
参考文献  実用新案登録３１９６１５５号
考案の名称  開閉自在袋
【考案の概要】
【考案が解決しようとする課題】
【０００５】  袋内に収納物を完全に保管することを課題とする。【０００６】  袋を簡単かつ、封緘具を使用しないで封緘することを課題とする。【０００７】  二重粘着剤封緘において、完全封緘することを課題とする。
【考案が解決するための手段】
【０００８】  合成樹脂からなる袋の、第一パネルの内側上部に第一粘着剤を袋幅方向に塗布する。
【０００９】  第一粘着剤より袋下部に第二粘着剤を袋幅方向に、第一粘着剤と平行に第二粘着剤を塗布する。
【００１０】  袋内部に平行に二列の粘着剤を塗布する。
【考案の効果】
【００１１】  合成樹脂からなる袋の、袋内部よりの、圧力による、袋の開封を無くする、完全密封式袋。
【００１２】    袋内部に平行に二列の粘着剤を塗布することによって、二重の粘着部を設ける。
【考案の実施するための形態】
【００１３】  本考案の実施の形態を図面を参照しながら詳細に説明する。なお、以下の説明にあたって、同一構成要件については、同一符号を付けて、重複した説明を省略する。
【００１４】  合成樹脂からなる袋の、第一パネル１の内側上部に第一粘着剤３を袋幅方向に塗布する。
【００１５】  第一粘着剤３より袋下部に第二粘着剤４を袋幅方向に、第一粘着剤３と平行に第二粘着剤４を塗布する。
【００１６】  袋内部に平行に二列の粘着剤を塗布する。
【００１７】  第一パネル１の第二粘着剤塗布面４に第二パネル２を重ね合わせて、各パネルの横部６と底部７を熱接着する。
【００１９】  袋内に収納物を収納後、第一パネル１の第二粘着剤４と第二パネル２を粘着剤にて接着させる。
【００２０】  第一パネル１の第一粘着剤３を折り曲げて５、第二パネル２に接着させる。
【００２１】  以上の方法によって、袋の収納口は完全に密封される、完全密封式袋である。
【００２２】  本考案の各粘着剤塗布部３，４を粘着剤塗布済みテープを用いることもある。
【図面の簡単な説明】
【図１】  第一パネルの第一粘着剤塗布部と第二粘着剤塗布部説明図。
【図２】  第二パネルの平面説明図。
【図３】  第一パネルを第二パネルに折り曲げて接着部説明図。
【符号の説明】    １  第一パネル
２  第二パネル
３  第一粘着剤塗布部
４  第二粘着剤塗布部
５  第一パネルの折り曲げ接着部
６  各パネルの横部熱接着部
７  各パネルの底部熱接着部
【図１】
0003209385.tif 000003
【図２】
0003209385.tif 000004
【図３】
0003209385.tif 000005
【手続補正書】
【提出日】平成28年12月14日(2016.12.14)
【手続補正１】
【補正対象書類名】実用新案登録請求の範囲
【補正対象項目名】全文
【補正方法】変更
【補正の内容】
【実用新案登録請求の範囲】
【請求項１】
合成樹脂からなる袋の、第一パネルの内側上部に第一粘着剤を袋幅方向に塗布し、さらに、第一粘着剤より袋下部に第二粘着剤を袋幅方向に、第一粘着剤と平行に第二粘着剤を塗布して、袋内部に平行に二列の粘着剤を塗布した、完全密封式袋。
【請求項２】
第一粘着剤および、第二粘着剤部に非粘着テープを張り合わされた、請求項１に記載の完全密封式袋。
【請求項３】
第一パネルの各粘着剤塗布面に第二パネルを重ね合わせて、各パネルの横部と底部を熱接着する、請求項１又は、請求項２に記載の完全密封式袋。